(57)【要約】【課題】スクリーン面の平面性を確保しつつ、容易に組み立てることができ、簡易な構成で安価なスクリーンを提供することを目的とする。【解決手段】矩形状のスクリーン（１）と、前記スクリーンの対向する２辺に沿って設けられた固定補助部材（６ｂ）と、前記スクリーンの前記２辺とは異なる２辺に固定された第１の支持部材（２）と、前記固定補助部材を介して、前記スクリーンに固定される第２の支持部材（３）と、前記第１の支持部材が互いに離間する方向にテンションを付与する第１のテンション付与手段（４）と、前記第２の支持部材が互いに離間する方向にテンションを付与する第２のテンション付与手段（５）と、を備えることを特徴とする。【選択図】図１
2011186286.tif 000002
【特許請求の範囲】
【請求項１】
矩形状のスクリーンと、
前記スクリーンの対向する２辺に沿って設けられた固定補助部材と、
前記スクリーンの前記２辺とは異なる２辺に固定された第１の支持部材と、
前記固定補助部材を介して、前記スクリーンに固定される第２の支持部材と、
前記第１の支持部材が互いに離間する方向にテンションを付与する第１のテンション付与手段と、
前記第２の支持部材が互いに離間する方向にテンションを付与する第２のテンション付与手段と、
を備えることを特徴とするスクリーン装置。
【請求項２】
請求項１に記載のスクリーン装置において、
さらに、第１の棒状部材を備え、
前記スクリーンに、前記第１の支持部材が固定される２辺のうち少なくとも一方の辺に沿って設けられた複数の第１の穴を、前記第１の棒状部材が貫通し、前記第１の棒状部材を前記第１の支持部材で保持し、前記第１の支持部材が前記スクリーンに固定されること、
を特徴とするスクリーン装置。
【請求項３】
請求項２に記載のスクリーン装置において、
前記第１の穴は、前記第２のテンション付与手段のテンション付与方向に長い開口形状であること、
を特徴とするスクリーン装置。
【請求項４】
請求項２または３に記載のスクリーン装置において、
前記第１の棒状部材は、前記第２のテンション付与手段によるテンション付与方向よりも、前記第１のテンション付与手段によるテンション付与方向に容易に変形可能な弾性体であること、
を特徴とするスクリーン装置。
【請求項５】
請求項１〜４のいずれか一項に記載のスクリーン装置において、
前記固定補助部材は、第２の棒状部材であり、
前記スクリーンに、前記第２の支持部材が固定される２辺に沿って設けられた複数の第２の穴を、前記第２の棒状部材が貫通し、前記第２の棒状部材を前記第２の支持部材で保持し、前記第２の支持部材が前記スクリーンに固定されること、
を特徴とするスクリーン装置。
【請求項６】
請求項５に記載のスクリーン装置において、
前記第２の穴は、前記第１のテンション付与手段のテンション付与方向に長い開口形状であること、
を特徴とするスクリーン装置。
【請求項７】
請求項５または６に記載のスクリーン装置において、
前記第２の棒状部材は、前記第１のテンション付与手段によるテンション付与方向よりも、前記第２のテンション付与手段によるテンション付与方向に容易に変形可能な弾性体であること、
を特徴とするスクリーン装置。
【請求項８】
請求項１〜４のいずれか一項に記載のスクリーン装置において、
前記固定補助部材は、前記スクリーンに設けられた第１の滑り止め部材と、前記第２の支持部材に設けられた第２の滑り止め部材と、を備えること、
を特徴とするスクリーン装置。
【請求項９】
請求項１〜８のいずれか一項に記載のスクリーン装置において、
前記第１のテンション付与手段は、第１の板状部材を備え、
前記第１の板状部材に第１の傾斜部を備え、
前記第１の傾斜部に圧力をかけて前記スクリーンにテンション付与すること、
を特徴とするスクリーン装置。
【請求項１０】
請求項１〜９のいずれか一項に記載のスクリーン装置において、
前記第２のテンション付与手段は、第２の板状部材を備え、
前記第２の板状部材に第２の傾斜部を備え、
前記第２の傾斜部に圧力をかけて前記スクリーンにテンション付与すること、
を特徴とするスクリーン装置。
【発明の詳細な説明】
【技術分野】
【０００１】
本発明はプロジェクターによる表示像を拡大投影するスクリーンに関し、特に平面性が高くプロジェクター投影画像を歪みなく表示することができ、組み立てが容易なスクリーン装置に関するものである。
【背景技術】
【０００２】
近年、スクリーンに近い位置から投影する近接投影型（短焦点型）のプロジェクターが市場に現れ、このプロジェクターを使ってスクリーンに拡大投影する機会が増えてきた。このような近接投影型のプロジェクターは、スクリーンの近くに設置できることから、スクリーンから離して投影する従来型のプロジェクターのように、例えば、会議机の上をプロジェクターが占有したり、プロジェクターの前を横切って映像が見えなくなったりするといったことが無くなり、利便性が向上する。
【先行技術文献】
【特許文献】
【０００３】
【特許文献１】特開２００６−１５４８５４号公報
【特許文献２】特開２０００−１３１７６６号公報
【特許文献３】特開平３−２８２４４２号公報
【発明の概要】
【発明が解決しようとする課題】
【０００４】
しかし、近接投影型のプロジェクターは、スクリーンにおいて、スクリーン面の平面性が低く波うちなどがあると、投影画像を大きく歪めてしまう問題がある。スクリーンから離れた位置でほぼ正面から投影する従来型のプロジェクターの場合は、スクリーン面法線に対して投影画像の入射角度が小さいため、スクリーンの平面性が低い場合にも投影画像の品質を悪化させることはほとんどなかったが、近接投影型のプロジェクターの場合は、投影画像の入射角度が大きいことから、スクリーンの平面性が低い場合に投影画像が歪み、映像品質を著しく悪化させる。
上記のようなスクリーンとして、特許文献１と特許文献２があげられる。特許文献１と特許文献２のスクリーン装置は、矩形状のスクリーンにおいて、支持体で固定されている２辺とは異なる２辺は固定されずフリーになっている。このフリーの２辺はカールを起こし、スクリーンの平面性を低下させる。また、特許文献１と特許文献２の技術では支持体が固定された対向する２辺を離間する方向にのみテンションを加えているため、スクリーン面内の内部応力が均等にならず、内部応力が小さい箇所や内部応力が急に変化する箇所で平面性の低下を起こしてしまう。このように平面性が低いスクリーンに近接投影型のプロジェクターで投影した場合は、映像品質を著しく悪化させてしまう。
また、特許文献３は４辺すべてにテンションをかけることで平面性を向上することを提案している。しかし、このスクリーン装置は構造が複雑になり、メーカーまたはユーザーが容易に組み立てることが困難になるという問題がある。また、バネによる伸縮機構が支持体に組み込まれているため支持体の剛性が低くなり、スクリーン生地全面に均等に応力を加えることが困難になり、平面性の低下を招く。
本発明は、このような課題を鑑みてなされたもので、スクリーン面の平面性を確保しつつ、容易に組み立てることができ、簡易な構成で安価なスクリーンを提供することを目的とする。
【課題を解決するための手段】
【０００５】
上述した課題を解決し、目的を達成するために、本発明に係るスクリーン装置は、矩形状のスクリーンと、前記スクリーンの対向する２辺に沿って設けられた固定補助部材と、前記スクリーンの前記２辺とは異なる２辺に固定された第１の支持部材と、前記固定補助部材を介して、前記スクリーンに固定される第２の支持部材と、前記第１の支持部材が互いに離間する方向にテンションを付与する第１のテンション付与手段と、前記第２の支持部材が互いに離間する方向にテンションを付与する第２のテンション付与手段と、を備えることを特徴とする。
【０００６】
前記スクリーン装置では、第１の支持部材と第２の支持部材で矩形状のスクリーンの４辺全てを固定することになり、カールを防ぐことができる。また、第１のテンション付与手段で第１の支持部材が互いに離間する方向と、第２のテンション付与手段で第２の支持部材が互いに離間する方向（矩形状のスクリーンの４辺全て）にテンションを付与することになり、スクリーン面全体に均一な応力を付加することができる。これにより、平面性の高いスクリーンを実現することができ、近接投影型のプロジェクターで画像を投影した場合でも、歪みの無い映像を提供することができる。
【０００７】
また、本発明の好ましい態様としては、前記スクリーン装置はさらに第１の棒状部材を備え、前記スクリーンに、前記第１の支持部材が固定される２辺のうち少なくとも１辺に沿って設けられた複数の第１の穴を、前記第１の棒状部材が貫通し、前記第１の棒状部材を前記第１の支持部材で保持し、前記第１の支持部材が前記スクリーンに固定されること、が望ましい。これにより、接着剤を用いずに第１の支持部材をスクリーンに固定することができるため、生産性が向上する。
【０００８】
また、本発明の好ましい態様としては、前記第１の穴は、前記第２のテンション付与手段のテンション付与方向に長い開口形状であること、が望ましい。これにより、第２のテンション付与手段でテンションを付与した場合や、温度変化によって熱膨張を起こし、スクリーンと第１の支持体の間に伸縮の差が発生した場合に、スクリーンを第１の支持部材で保持した状態で、スクリーンと第１の支持部材と別々に伸縮できることになり、スクリーン面にシワが発生するのを防ぐことができる。
【０００９】
また、本発明の好ましい態様としては、前記第１の棒状部材は、前記第２のテンション付与手段によるテンション付与方向よりも、前記第１のテンション付与手段によるテンション付与方向に容易に変形可能な弾性体であること、が望ましい。これにより、第１のテンション付与手段でスクリーンにテンションが加えられる際に、第１の穴や第１の支持部材の製造公差、または、第１の支持部材のたわみを吸収し、スクリーンに均一に応力を付加することができる。
【００１０】
また、本発明の好ましい態様としては、前記固定補助部材は、第２の棒状部材であり、前記スクリーンに、前記第２の支持部材が固定される２辺に沿って設けられた複数の第２の穴を、前記第２の棒状部材が貫通し、前記第２の棒状部材を前記第２の支持部材で保持し、前記第２の支持部材が前記スクリーンに固定されること、が望ましい。これにより、第２の支持部材をスクリーンに固定すること、または、スクリーンから分離することが容易になり、スクリーン装置の組立て性、または、収納性が向上する。
【００１１】
また、本発明の好ましい態様としては、前記第２の穴は、前記第１のテンション付与手段のテンション付与方向に長い開口形状であること、が望ましい。これにより、第１のテンション付与手段でテンションを付与した場合や、温度変化によって熱膨張を起こし、スクリーンと第２の支持体の間に伸縮の差が発生した場合に、スクリーンを第２の支持部材で保持した状態で、スクリーンと第２の支持部材と別々に伸縮できることになり、スクリーン面にシワが発生するのを防ぐことができる。
【００１２】
また、本発明の好ましい態様としては、前記第２の棒状部材は、前記第１のテンション付与手段によるテンション付与方向よりも、第２のテンション付与手段によるテンション付与方向に容易に変形可能な弾性体であること、が望ましい。これにより、第２のテンション付与手段でスクリーンにテンションが加えられる際に、第２の穴や第２の支持部材の製造公差、または、第２の支持部材のたわみを吸収し、スクリーンに均一に応力を付加することができる。
【００１３】
また、本発明の好ましい態様としては、前記固定補助部材は、前記スクリーンに設けられた第１の滑り止め部材と、前記第２の支持部材に設けられた第２の滑り止め部材と、を備えることが望ましい。これにより、第２の支持部材をスクリーンに固定すること、または、スクリーンから分離することが容易になり、スクリーン装置の組立て性、または、収納性が向上する。
【００１４】
また、本発明の好ましい態様としては、前記第１のテンション付与手段は、第１の板状部材を備え、前記第１の板状部材に第１の傾斜部を設け、前記第１の傾斜部に圧力をかけて前記スクリーンにテンション付与すること、が望ましい。これにより、第１の支持部材が互いに離間する方向に、簡単で安価に、確実なテンションを付与することができる。
【００１５】
また、本発明の好ましい態様としては、前記第２のテンション付与手段は、第２の板状部材を備え、前記第２の板状部材に第２の傾斜部を設け、前記第２の傾斜部に圧力をかけて前記スクリーンにテンション付与すること、が望ましい。これにより、第２の支持部材が互いに離間する方向に、簡単で安価に、確実なテンションを付与することができる。
【図面の簡単な説明】
【００１６】
【図１】（ａ），（ｂ）は本発明の第１〜３実施形態に係るスクリーン装置の構成を模式的に表した斜視図。
【図２】は第１実施形態に係るスクリーン装置を分解した状態を模式的に表した斜視図。
【図３】は第１実施形態に係るスクリーン装置を収納した状態を模式的に表した側面図。
【図４】は第１実施形態に係る第２の支持部材の取り付け部の構成を説明するための部分拡大図。
【図５】は第１実施形態に係るは第２のテンション付与手段をスクリーン装置へ取り付ける部分の構成を説明するための部分拡大図。
【図６】は第２実施形態に係るスクリーン装置を分解した状態を模式的に表した斜視図。
【図７】は第２実施形態に係るスクリーン装置を収納した状態を模式的に表した側面図。
【図８】は第２実施形態に係る第２の支持部材の取り付け部の構成を説明するための部分拡大図。
【図９】は第３実施形態に係るスクリーン装置を分解した状態を模式的に表した斜視図。
【図１０】は第３実施形態に係る第１の支持部材の取り付け部の構成を説明するための部分拡大図。
【発明を実施するための形態】
【００１７】
以下に図面を参照して、本発明の実施例を詳細に説明する。
〔第１実施形態〕
図１は、スクリーン装置Ｓ１の構成を説明する模式図である。図１（ａ）は、スクリーン装置Ｓ１のプロジェクターの映像を投影する面（表側）の斜視図であり、図１（ｂ）は、背面の斜視図である。図２は、スクリーン装置Ｓ１の分解状態の斜視図であり、図３は収納状態の側面図である。
【００１８】
図１は、本発明の第１の実施形態に係るスクリーン装置S１の使用時の状態を示しており、矩形状のスクリーン１と、スクリーン１の４辺の内、上下の２辺に固定された第１の支持部材２と、左右の２辺に固定補助部材である第２の棒状部材６ｂ（図４）を介して固定された第２の支持部材３と、第１の支持部材２，２が互いに離間する方向にテンションを付与する第１のテンション付与手段４と、第２の支持部材３，３が互いに離間する方向にテンションを付与する第２のテンション付与手段５とを備えている。
【００１９】
図２に示すように、第１の支持部材２は、アルミ製の中空角型パイプからなる２a、２bの２部品で構成され、２ａはスクリーン１を表側（画像の投影面側）から、２ｂは裏側から挟み込み、スクリーン１に接着剤で固定される。スクリーン１は第１の支持部材２のみがスクリーン１に固定された状態で、図３に示すように、発泡スチロールなどからなる梱包剤Kに巻きつけ収納し、持ち運びができる。
以下、図３の収納状態から図１の使用時の状態に組み立てる手順にしたがって説明をする。
【００２０】
まず、図３の収納状態から図２の状態に展開する。スクリーン１の左右２辺には、複数の第２の穴６ａが設けられている。複数の第２の穴６ａは、スクリーン１の左右辺に沿って、約１００ｍｍ間隔で設けられ、図２に示すように、第１の支持部材２，２が互いに離間する方向に、長い開口形状として設けられる。また、複数の第２の穴６ａは、全てが同じ形状とは限らず、例えば、図４に示すように、スクリーンの上下方向で中間の位置に、第２の穴６ａ１は真円に近い開口形状とし、その他の第２の穴６ａ２は上記のように長い開口形状とすることもできる。これにより、スクリーン１と第２の支持部材３の伸縮量に差ができた場合に、スクリーン１と第２の支持部材３とが別々に伸縮できることを維持しつつ、スクリーン１と第２の支持部材３の相対位置がずれることを防ぐことができる。
【００２１】
図２に示すように、第２の支持部材３は、アルミ製の中空角型パイプからなる３ａ、３ｂの２部品で構成され、３ａはスクリーン１を表側から、３ｂは裏側から挟み込む。図４に示すように、第２の支持部材３ａ、３ｂには、それぞれ複数の第２の穴６ａに対応した穴６ｃが設けられていて、第２の棒状部材６ｂを、第２の支持部材３ａの穴６ｃ、スクリーン１の第２の穴６ａ、第２の支持部材３ｂの穴６ｃの順に貫通して組み付ける。また、コの字状の樹脂製の止め具３ｅで、第２の支持部材３ａと３ｂが分離しないように固定する。
【００２２】
また、第２の棒状部材６ｂは、第２の支持部材３ａに接着剤等で固定し、第２の支持部材３ａと一体に構成されていてもよい。これにより、複数の第２の棒状部材６ｂを１つずつ組み付ける手間が省け、スクリーン装置Ｓ１の組み立てが容易になる。
【００２３】
図２に示すように、アルミ製の中空角型パイプからなる第１のテンション付与手段４には、端部に傾斜部４ａが設けられている。また、第１の支持部材２ｂには、樹脂製の傾斜部４ｂが接着剤で固定されており、傾斜部４ａの傾斜面と傾斜部４ｂの傾斜面がお互い面あわせになるように組み付ける。傾斜面を面合わせにした部分は、図５に示すように、ネジ４ｃで圧着をする構造を備えており、ネジ４ｃの圧力は、傾斜部４ａ、４ｂで第１のテンション付与手段４の長手方向に変換され、第１の支持部材２，２が離間する方向にテンションが付与されることになる。
【００２４】
また、図５に示すように、ネジ４ｃの頭４ｃ１と第１のテンション付与手段４の間に、弾性体４ｄを入れることが望ましい。図５に示すように、本実施例においては、弾性体４ｄとしてバネを使う。これにより、例えばスクリーン１が熱膨張で伸長した場合に、弾性体４ｄが略一定の圧力を加え続けることで、第１のテンション付与手段が第１の支持部材２，２を互いに離間する方向へ付与する力が略一定に保たれ、スクリーン１の平面性を保つことができる。
【００２５】
図２に示すように、アルミ製の中空角型パイプからなる第２のテンション付与手段５には、端部に傾斜部５ａが設けられている。また、第２の支持部材３ｂには、樹脂製の傾斜部５ｂが接着剤で固定されており、傾斜部５ａの傾斜面と傾斜部５ｂの傾斜面がお互い面あわせになるように組み付ける。傾斜面を面合わせにした部分は、図示は省略するが、図５の第１のテンション付与手段の傾斜面を面あわせした部分と同様の方法で組みつけ、第２の支持部材３，３が互いに離間する方向にテンションが付与される。
【００２６】
スクリーン装置Ｓ１を収納、持ち運びをする際は、上記の組立て作業とは逆の手順で分解することで、図３の状態へ戻すことができる。
【００２７】
〔第２実施形態〕
以下、第２実施形態に係るスクリーン装置について説明する。なお、第２実施形態に係るスクリーン装置Ｓ２は、第１実施形態のスクリーン装置Ｓ１を変更したものであり、特に説明しない部分については、第１の実施形態と同様であるものとする。
【００２８】
図１は、スクリーン装置Ｓ２の構成を説明する模式図である。図６は、スクリーン装置Ｓ２の分解状態の斜視図であり、図７は収納状態の側面図である。
【００２９】
図６に示すように、スクリーン１の左右２辺には、固定補助部材としての複数の第１の滑り止め部材７ａが設けられている。複数の第１の滑り止め部材７ａは、スクリーン１の左右辺に沿って、約１００ｍｍ間隔で接着剤によって固定されている。第１の滑り止め部材７ａは、スクリーン１の裏側のみ図示しているが、表側にも裏側と同様に第１の滑り止め部材７ａが設けられている。第１の滑り止め部材７ａは弾性体で、本実施例においては、ゴム製であり、図８に示すように、凸形状部７ａ１を備えている。また、第１の滑り止め部材７ａは凸形状部７ａ１が、第１の支持部材２，２が互いに離間する方向に平行になるように設けられている。
【００３０】
図６に示すように、第２の支持部材３は、アルミ製の中空角型パイプからなる３ｃ、３ｄの２部品で構成され、３ｃはスクリーン１を表側から、３ｄは裏側から挟み込む。図８に示すように、第２の支持部材３ｃ、３ｄのスクリーン１側には、第２の滑り止め部材７ｂが設けられていて、第１の滑り止め部材７ａに対応した凹形状部７ｂ１を備えている。
凹形状部７ｂ１は第２の支持部材３ｃ、３ｄを押し出し成型する際に同時に成型される。第２の支持部材３は、スクリーン１上の滑り止め部材７ａの凸形状部７ａ１と第２の支持部材３上の第２の滑り止め部材７ｂの凹形状部７ｂ１を組み付ける。また、コの字状の樹脂製の止め具３ｅで、第２の支持部材３ｃと３ｄが分離しないように固定している。
【００３１】
図６に示すように、第２のテンション付与手段５には、傾斜部５ａが設けられている。また、第２の支持部材３ｄには、樹脂製の傾斜部５ｂが接着剤で固定されており、傾斜部５ａの傾斜面と傾斜部５ｂの傾斜面がお互い面あわせになるように組み付ける。傾斜面を面合わせにした部分は、図示は省略するが、図５の第１のテンション付与手段の傾斜面を面あわせした部分と同様の方法で組みつけ、第２の支持部材３，３が互いに離間する方向にテンションが付与される。
【００３２】
〔第３実施形態〕
以下、第３実施形態に係るスクリーン装置について説明する。なお、第３実施形態に係るスクリーン装置Ｓ３は、第１実施形態のスクリーン装置Ｓ１を変更したものであり、特に説明しない部分については、第１の実施形態と同様であるものとする。
【００３３】
図１は、スクリーン装置Ｓ３の構成を説明する模式図である。図９は、スクリーン装置Ｓ３の分解図である。
【００３４】
図９に示すように、スクリーン１の上下２辺には、複数の第１の穴８ａが設けられている。複数の第１の穴８ａは、スクリーン１の上下辺に沿って、約１００ｍｍ間隔で設けられ、第２の支持部材３，３が互いに離間する方向に、長い開口形状として設けられる。また、複数の第１の穴８ａは、全てが同じ形状とは限らず、例えば、図１０に示すように、スクリーンの左右方向で中間の位置に、第１の穴８ａ１は真円に近い開口形状とし、その他の第１の穴８ａ２は上記のように長い開口形状とすることもできる。これにより、スクリーン１と第１の支持部材２の伸縮量に差ができた場合に、スクリーン１と第１の支持部材２とが別々に伸縮できることを維持しつつ、スクリーン１と第１の支持部材２の相対位置がずれることを防ぐことができる。
【００３５】
図９に示すように、第１の支持部材２は、アルミ製の中空角型パイプからなる２ｃ、２ｄの２部品で構成され、２ｃはスクリーン１を表側から、２ｄは裏側から挟み込む。図１０に示すように、第１の支持部材２ｃ、２ｄには、それぞれ複数の第１の穴８ａに対応した穴８ｂが設けられていて、第１の棒状部材８ｃを、第１の支持部材２ｃの穴８ｂ、スクリーン１の第１の穴８ａ、第１の支持部材２ｂの穴８ｂの順に貫通して組み付ける。第１の棒状部材８ｃは接着剤で第１の支持部材２の穴８ｂに固定される。
【００３６】
図９に示すように、第１のテンション付与手段４には、傾斜部４ａが設けられている。また、第１の支持部材２ｄには、樹脂製の傾斜部４ｅが接着剤で固定されており、傾斜部４ａの傾斜面と傾斜部４ｅの傾斜面がお互い面あわせになるように組み付ける。傾斜面を面合わせにした部分は、図示は省略するが、第１実施形態の図５の第１のテンション付与手段の傾斜面を面あわせした部分と同様の方法で組みつけ、第１の支持部材２，２が互いに離間する方向にテンションが付与される。
【００３７】
以上説明した本実施形態に係るスクリーン装置Ｓ１、Ｓ２、Ｓ３では、矩形状のスクリーン１の４辺に支持部材を備え、また、第１の支持部材２，２と第２の支持部材３，３をそれぞれ離間する方向にテンションを付与するテンション付与手段を備えることにより、スクリーン１の平面性を向上させることができ、近接型のプロジェクターで投影した場合に歪みの無い映像を提供することができる。
【００３８】
また、第２の支持部材については容易に組立てることができるため、スクリーン装置を輸送する際に梱包容量を小さくでき、輸送費を削減することができる。
【００３９】
なお、この発明は、上記の実施形態に限られるものではなく、その要旨を逸脱しない範囲において、形状、材質、数量、その他の詳細な構成に、当業者が様々な変形を加えることも可能である。
例えば、第２の棒状部材が一方の第２の支持部材と一体的に構成されるように成型されていてもよい。
また、第１の棒状部材が一方の第１支持部材に予め接着固定されていてもよいし、第１の棒状部材が一方の第１の支持部材と一体的に構成されるように成型されていてもよい。
また、前記第１の棒状部材は、第２のテンション付与手段によるテンション付与方向よりも、第１のテンション付与手段によるテンション付与方向に容易に変形可能な、例えば平板状の弾性体からなる棒状部材であってもよい。
また、前記第２の棒状部材は、第１のテンション付与手段によるテンション付与方向よりも、第２のテンション付与手段によるテンション付与方向に容易に変形可能な、例えば平板状の弾性体からなる棒状部材であってもよい。
また、前記傾斜部４ａは、テンション付与手段４に１つのみ設けられてもよく、傾斜部４ａが設けられない端部については、第１の支持部材に接着剤で固定されてもよいし、ネジで固定されてもよい。
また、前記傾斜部５ａは、テンション付与手段５に１つのみ設けられてもよく、傾斜部５ａが設けられない端部については、第２の支持部材に接着剤で固定されてもよいし、ネジで固定されてもよい。
【符号の説明】
【００４０】
Ｓ１、Ｓ２、Ｓ３…スクリーン装置、  １…スクリーン、  ２…第１の支持部材、  ３…第２の支持部材、  ４…第１のテンション付与手段、  ５…第２のテンション付与手段、  ６、７…固定補助部材、  Ｋ…梱包材。
【図１】
2011186286.tif 000003
【図２】
2011186286.tif 000004
【図３】
2011186286.tif 000005
【図４】
2011186286.tif 000006
【図５】
2011186286.tif 000007
【図６】
2011186286.tif 000008
【図７】
2011186286.tif 000009
【図８】
2011186286.tif 000010
【図９】
2011186286.tif 000011
【図１０】
2011186286.tif 000012